(57)【要約】  【課題】  構成表示可能な大型の平面型画像表示装置を提供する。  【解決手段】  単位平面表示素子の複数を配置した平面型画像表示装置１０１において、単位平面表示素子１０２Ａは最外周画素１０４Ａを構成する少なくとも一部のセルは、内部画素１０６のセルに比べて大きさが小さく、単位平面表示素子の外周面を基準とした最外周部の画素のピッチＰ２は、最外周部の画素を除く内部画素の画素ピッチＰ１と等しい平面型画像表示装置。【選択図】  図１
2005301133.tif 000002
【特許請求の範囲】
【請求項１】
単位平面表示素子の複数を配置した平面型画像表示装置において、単位平面表示素子は最外周画素を構成する少なくとも一部のセルは、内部画素のセルに比べて大きさが小さく、単位平面表示素子の外周面を基準とした最外周部の画素のピッチは、最外周部の画素を除く内部画素の画素ピッチと等しいことを特徴とする平面型画像表示装置。
【請求項２】
単位平面表示素子の各画素は縦方向に長いセルから構成されており、左右の最外周部の画素は、Ｒ、Ｇ、Ｂの３色のセルの水平方向の１セルの大きさｂが、最外周部の他のセルおよび内部画素の幅ａよりも小さく、最外周部の画素と単位平面表示素子の外周面との距離ｄ、最外周部の画素と内部画素との間隔２ｃとの間には、ａ＋ｃ＝ｂ＋ｄの関係を有するとともに、上下の最外周部の画素の縦方向の長さｆ、他の画素の縦方向の長さｇ、最上部あるいは最低部の画素と隣接する画素との縦方向の間隔２ｃとの間には、ｃ＋ｇ＝ｄ＋ｆの関係があることを特徴とする請求項１記載の平面型画像表示装置。
【請求項３】
単位平面表示素子の各画素は縦方向に長いセルから構成されており、左右の最外周部の画素は、Ｒ、Ｇ、Ｂの３色のセルの水平方向の２セルの幅ｂ１、ｂ２が他のセルの幅ａよりも小さく、最外周部の画素と単位平面表示素子の外周面との距離ｄ、最外周部の画素と内部画素との間隔２ｃとの間に、２ａ＋ｃ＝ｂ１＋ｂ２＋ｄの関係があり、最外周部の画素の縦方向の最上部あるいは最低部の画素の縦方向の長さｆ、他の画素の縦方向の長さｇ、縦方向の最上部あるいは最低部の画素と隣接する画素との間隔２ｃとの間には、ｃ＋ｇ＝ｄ＋ｆの関係を有することを特徴とする請求項１記載の平面型画像表示装置。
【請求項４】
左右最外周部の縦方向に長い画素は、Ｒ，Ｇ，Ｂの３色のセルの水平方向の３セルの大きさｂ１、ｂ２、ｂ３が最外周部の他のセルおよび内部画素の幅ａよりも小さく、最外周部の画素と単位平面表示素子の外周面との間の距離ｄ、最外周部の画素とその内部の画素との間隔２ｃとの間に、３ａ＋ｃ＝ｂ１＋ｂ２＋ｂ３＋ｄの関係があり、上下の最外周部の画素の縦方向の長さｆ、他の画素の縦方向の長さｇ、最上部あるいは最低部の画素と隣接する画素との縦方向の間隔２ｃとの間には、ｃ＋ｇ＝ｄ＋ｆの関係を有することを特徴とする請求項１記載の平面型画像表示装置。
【請求項５】
最外周画素セルの輝度は、内部画素の同一色のセル輝度と同じ、もしくは高く設定されていることを特徴とする請求項１ないし４のいずれか１項に記載の平面型画像表示装置。
【請求項６】
単位平面表示素子の画素内のセルは最も発光効率が小さい色を最外周画素の最も広いセルとして配置したことを特徴とする請求項２ないし５のいずれか１項に記載の平面型画像表示装置。
【請求項７】
単位平面表示素子の画素内のセルの色配列は最も効率の低い色のセルを画素の中央に配置し、最外周画素においては中央セルが最も寸法が大きくなっていることを特徴とする請求項１ないし６のいずれか１項に記載の平面型画像表示装置。
【請求項８】
単位平面表示素子の画素内の３色のセルはＲ、Ｂ、Ｇの順に配置したことを特徴とする請求項１ないし７のいずれか１項記載の平面型画像表示装置。
【請求項９】
単位平面表示素子の複数を配置した平面型画像表示装置の画像表示方法において、単位平面表示素子は最外周画素を構成する少なくとも一部のセルは、最外周部の他のセルおよび内部画素のセルに比べて小さく、単位平面表示素子の外周面から最外周部の画素とそれに隣接する画素の中間までの距離が、最外周部の画素を除く内部画素の画素ピッチと等しく配置し、最外周部の画素の少なくとも一部のセルの輝度調整信号を内部画素に比べて大きくし、同一色の最外周部のセルの輝度と内部画素のセルの輝度を同一、もしくは高く調整することを特徴とする平面型画像表示装置の調整方法。
【発明の詳細な説明】
【技術分野】
【０００１】
本発明は、単位プラズマ表示素子などの単位平面型表示素子の複数個を配置して大型の表示画面を形成した平面型画像表示装置に関するものであり、特に高精細表示が可能な大型の平面型画像表示装置に関するものである。
【背景技術】
【０００２】
テレビ、コンピュータなどの画像を表示する手段としてＣＲＴ表示装置に代えて、液晶表示装置、プラズマ表示装置、電界放射型表示装置、エレクトロルミネッセンス表示装置などの平面型画像表示装置が提案されている。
これらの表示装置はＣＲＴ型に比べて、薄型・軽量で消費電力が小さいと言う特徴を有しており、ＣＲＴ表示装置に代わり利用が進められている。
平面型画像表示装置は大型化が進められているが、表示画面の大型化には大面積の部材とそれを製造することが可能な各種大型の製造装置を必要とするため平面型画像表示装置の大型化には限界があった。
【０００３】
そこで、複数個の単位表示素子を並列配置し、それぞれの単位表示装置に、画像を分割した電気信号を送出し全体として大型の画像表示が可能な大型の平面型画像表示装置が提案されている。この単位表示素子を多数配置した大型の平面型画像表示装置としては、ＣＲＴやプロジェクション型の単位表示装置を用いたもの等が用いられているが、各単位表示装置の間には、画像が表示されない領域や画像が不連続な領域が生じ、不自然な画像となり表示品位を低下させると言う問題点があった。また、大型表示装置とは言え単位表示素子にＣＲＴやプロジェクション型の表示装置を用いると、面積に比較しても厚さが大きなものとなり平面型画像表示装置としては問題があった。
【０００４】
平面型画像表示装置は、一般には表示装置の周辺部の幅がＣＲＴに比べて小さいことを特徴としている。ところが大型の平面型画像表示装置を形成するために単に平面型画像表示装置を配置したのみでは、表示装置間に画像が表示されない領域をなくすことはできなかった。そこで、複数個の表示装置を配置する各種の方法が提案されている。画像表示装置に不可欠な信号等の給電用の端子を一方の端部に集めると共に、他方の端部側で側面を突き合わせて配列することにより、単位表示装置相互の境界の非表示領域を小さくする技術が提案されている（例えば、特許文献１参照）。
【０００５】
しかしながら、このような表示装置においても少なくとも一辺には端子部を備える必要がある。そのため、端子部が形成される部分には、単位表示素子を接して配置することができないために、単位表示素子の多数個を縦横に配置した大型の表示装置を形成することはできなかった。
【０００６】
こうした問題点を解決するために、単位平面表示素子を多数配置した場合に、単位平面表示素子間の継ぎ目を目立たない様にするために、単位平面表示素子の周辺部の構造等に特徴を有した平面型画像表示装置を提案している。
しかしながら、本発明の目的とする単位平面素子にあっては、周辺部の非表示部の幅は、表示面における表示画素の間隔に影響を及ぼすために、４０型級のプラズマ表示装置のように、周辺部に５ｍｍ〜１０ｍｍ程度の幅の封着部を形成して前面板と背面板とを接合し、内部空間の気密保持と強度保持を行うことはできず、大型の平面型画像表示装置を構成する単位表示素子の周辺部に形成される封着部は、従来の４０型級のプラズマ表示装置のように大きな幅とすることはできなかった。
【０００７】
そこで、従来の大型の平面表示装置を構成する単位平面表示素子は、画素ピッチ３ｍｍ程度であった。この様な画素を有する単位平面表示素子を用いて１００型の単位平面表示装置を作製した場合には、４８０×６４０のＶＧＡ級の表示となる。１００型におけるＶＧＡ表示は現在の大型の平面型画像表示装置では最高の精細度に属するものの、高精細画像コンテンツの増加やパソコン表示の高精細化など今後ますます進む高精細化の趨勢から早期に、７６８×１０２４のＸＧＡ級の高精細化が望まれている。
【０００８】
画素ピッチ３ｍｍ程度の単位平面表示素子においては、表示画素間隔を１ｍｍ程度に配置しているので、隣接する単位平面表示素子の境界が画像の表示品質に影響を及ぼさないようにするためには、単位平面表示素子の周辺部の非表示部の大きさを少なくとも表示画素間隔の１／２程度とすることが必要である。
一方、前面側と背面側の二枚のガラス板の周囲を封着、あるいは接合した単位平面表示素子において周辺部での封着強度を保持するためには少なくとも０．５ｍｍから１．０ｍｍの幅が必要であった。
【０００９】
したがって、単位平面表示素子に周囲の封着部に実用的な強度を保持して、１００型においてＸＧＡ級の高精細表示が可能なピッチが２ｍｍの単位平面表示素子を作製することは極めて困難であると考えられていた。
【特許文献１】特開平６−３１４０６６号公報
【発明の開示】
【発明が解決しようとする課題】
【００１０】
本発明は、単位平面表示素子を配列して構成した大型の平面型画像表示装置において、１００型程度の大型のものであってもＸＧＡ級の高精細表示が可能な平面型画像表示装置を提供することを課題とするものであり、隣接して配置された各単位平面表示素子間での画像の表示品質が良好な平面型画像表示装置を提供することを課題とするものである。
【課題を解決するための手段】
【００１１】
本発明の課題は、単位平面表示素子の複数を配置した平面型画像表示装置において、単位平面表示素子は最外周画素を構成する少なくとも一部のセルは、内部画素のセルに比べて大きさが小さく、単位平面表示素子の外周面を基準とした最外周部の画素のピッチは、最外周部の画素を除く内部画素の画素ピッチと等しい平面型画像表示装置によって解決することができる。
また、単位平面表示素子の各画素は縦方向に長いセルから構成されており、左右の最外周部の画素は、Ｒ、Ｇ、Ｂの３色のセルの水平方向の１セルの大きさｂが、最外周部の他のセルおよび内部画素の幅ａよりも小さく、最外周部の画素と単位平面表示素子の外周面との距離ｄ、最外周部の画素と内部画素との間隔２ｃとの間には、ａ＋ｃ＝ｂ＋ｄの関係を有するとともに、上下の最外周部の画素の縦方向の長さｆ、他の画素の縦方向の長さｇ、最上部あるいは最低部の画素と隣接する画素との縦方向の間隔２ｃとの間には、ｃ＋ｇ＝ｄ＋ｆの関係がある前記の平面型画像表示装置である。
【００１２】
また、単位平面表示素子の各画素は縦方向に長いセルから構成されており、左右の最外周部の画素は、Ｒ、Ｇ、Ｂの３色のセルの水平方向の２セルの幅ｂ１、ｂ２が他のセルの幅ａよりも小さく、最外周部の画素と単位平面表示素子の外周面との距離ｄ、最外周部の画素と内部画素との間隔２ｃとの間に、２ａ＋ｃ＝ｂ１＋ｂ２＋ｄの関係があり、最外周部の画素の縦方向の最上部あるいは最低部の画素の縦方向の長さｆ、他の画素の縦方向の長さｇ、縦方向の最上部あるいは最低部の画素と隣接する画素との間隔２ｃとの間には、ｃ＋ｇ＝ｄ＋ｆの関係を有する前記の平面型画像表示装置である。
左右最外周部の縦方向に長い画素は、Ｒ，Ｇ，Ｂの３色のセルの水平方向の３セルの大きさｂ１、ｂ２、ｂ３が最外周部の他のセルおよび内部画素の幅ａよりも小さく、最外周部の画素と単位平面表示素子の外周面との距離ｄ、最外周部の画素とその内部の画素との間隔２ｃとの間に、３ａ＋ｃ＝ｂ１＋ｂ２＋ｂ３＋ｄの関係があり、上下の最外周部の画素の縦方向の長さｆ、他の画素の縦方向の長さｇ、最上部あるいは最低部の画素と隣接する画素との縦方向の間隔２ｃとの間には、ｃ＋ｇ＝ｄ＋ｆの関係を有する前記の平面型画像表示装置である。
【００１３】
また、最外周画素セルの輝度は、内部画素の同一色のセル輝度と同じ、もしくは高く設定されている前記の平面型画像表示装置である。
単位平面表示素子の画素内のセルは最も発光効率が小さい色を最外周画素の最も広いセルとして配置した前記の平面型画像表示装置である。
単位平面表示素子の画素内のセルの色配列は最も効率の低い色のセルを画素の中央に配置し、最外周画素においては中央セルが最も寸法が大きくなっている前記の平面型画像表示装置である。
単位平面表示素子の画素内のセルはＲ、Ｂ、Ｇの順に配置した前記の平面型画像表示装置である。
【００１４】
単位平面表示素子の複数を配置した平面型画像表示装置の画像表示方法において、単位平面表示素子は最外周画素を構成する少なくとも一部のセルは、最外周部の他のセルおよび内部画素のセルに比べて小さく、単位平面表示素子の外周面から最外周部の画素とそれに隣接する画素との間の距離が、最外周部の画素を除く内部画素の画素ピッチと等しいものを配置し、最外周部の画素の輝度調整信号を内部画素に比べて大きくし、同一色の最外周部のセルの輝度と内部画素のセルの輝度を同一、もしくは高く調整する平面型画像表示装置の調整方法である。
【発明の効果】
【００１５】
本発明の単位平面表示素子の複数個を配置した平面型画像表示装置において、平面型画像表示装置を構成する単位平面表示素子の最外周部の画素の大きさを内部画素に比べて小さくすることによって、最外周部の画素と単位平面表示素子の外周面からの間隔を、単位平面表示素子の前面板と背面板との封着部の強度を保持可能な長さに確保し、単位平面表示素子の外周面から、最外周画素とその内部画素との中間までの距離を、内部画素ピッチと等しくすることができるので、画素ピッチを小さくしても画素ピッチが大きなものと同等の大きさの封着部を形成することが可能となり、十分な封着性能が得られる。
【発明を実施するための最良の形態】
【００１６】
本発明の平面型画像表示装置は、複数個の単位平面表示素子から構成されたものにおいて、最外周部の画素を形成する少なくとも一部のセルの大きさを小さくすることによって、単位平面表示素子の前面板と背面板とを封着する外周部に、強度が大きく気密封着性能を阻害することがない封着部を確保したうえで、画素ピッチが小さく、高精細表示が可能であって、隣接して配置された単位平面表素子間での表示品質も優れた平面型画像表示装置を提供可能であることを見出したものである。
【００１７】
すなわち、単位平面表示素子として、画素ピッチを小さくして高精細表示可能な単位平面表示素子を作製しようとすると、単位平面表示素子の前面板と背面板との外周部における封着部の大きさが小さくなり、強度確保が不充分なものとなって事実上製造ができなかった。
一方、外周部の封着部を大きくすると、高精細表示のために間隔を小さくした内部画素の外周部の画素では画素ピッチが不均一となって表示品質が劣化するという背反する問題を外周部の画素を構成するセルの大きさを小さなものとして、外周部の画素を小さくし、外周部の画素を小さくした量を前面板と背面板との封着部を大きくすることによって解決したものである。
【００１８】
また、外周部の画素を構成するセルの大きさを小さくすると、小さくしたセルは発光あるいは輝度が小さなものとなるので、単位平面表示素子の各画素に供給する電圧、電流、パルス数、パルス幅等を調整することにより、大きさが小さなセルを含む画素を他の画素と同様に認識される様に発光させて調整したものである。
【００１９】
以下に図面を参照して本発明を説明する。
図１は、本発明の平面型画像表示装置の一実施例を説明する図であり、図１（Ａ）は、平面型画像表示装置の全体を示し、図１（Ｂ）は、隣接する単位平面表示素子を部分的に異なる縮尺で示したものである。
本発明の平面型画像表示装置１０１は、複数の単位平面表示素子１０２の所定の個数を隣接して配置したものである。図１には、横方向に６個、縦方向に４個の単位平面表示素子１０２を配置配列した例を示している。
図１（Ａ）に示すように、単位平面表示素子１０２Ａと単位平面表示素子１０２Ｂは、それぞれの端面１０３を密着して配置されている。
単位平面表示素子１０２Ａおよび１０２Ｂの左右の最外周部に位置する右側最外周画素１０４Ａ、左側最外周画素１０４Ｂ、単位平面表示素子の上下に位置する上下最外周画素１０５、および左右最外周画素と上下最外周画素を除く内部画素１０６から構成されている。それれぞれの画素は、縦長の画素からなり、左から赤色（Ｒ）セル１１０、青色（Ｂ）セル１１１、緑色（Ｇ）セル１１２の３色のセルから構成されている。
【００２０】
単位平面表示素子１０２Ａの右側の最外周画素１０４Ａにあっては赤色セル１１０およ青色セルは、内部セルと同じ幅ａを有しており、最外周に位置する緑色セル１１２のみがａよりも小さなｂの幅を有している。そして、各セルは、画素間隔ｅの間隔を設けて配置されている。
また、単位平面表示素子１０２Ｂに示すように、左側の最外周画素１０４Ｂにあっては、最外周に位置する赤色セル１１０が、他の最外周部のセル、および内部画素のセルの幅ａよりも小さな幅である幅ｂであり、青色セルおよび緑色セルは内部画素の幅と同様に幅ａである。
【００２１】
各画素を構成する３色のセルの配置は任意に行うことができるが、プラズマディスプレイのように蛍光体を発光させる表示装置にあっては、ＣＲＴと同様の色温度である９０００Ｋ〜１００００Ｋの領域に設定することが行われている。このような条件下では一般的に用いられている青色蛍光体は、赤色あるいは緑色の蛍光体に比べて発光効率が小さい。そこで、左右の最外周部に青色の蛍光体を配置し、しかもそのセルの幅が小さくなると、面積が小さく発光効率が低いセルは他の画素の輝度に比べて大きく輝度が低下してしまう。したがって、セルに供給する電気エネルギーの調整によって幅が小さなセルの発光を他のものと同様に調整する場合には、発光のために投入するエネルギーが過大となって充分な調整が困難となり、表示画像の品質が低下するという問題点があった。
そこで、発光効率の小さなセルは、画素の中心に配置して、幅を小さくしないことが好ましく、画素の中心のセルに発光効率が小さな青色のセルを配置することが好ましい。
【００２２】
また、左右最外周画素と内部画素との間の間隔、および各内部画素間の間隔はすべて２ｃであり、左右最外周部の画素の横方向の画素ピッチＰ１で表される。また、単位平面表示素子の横方向の端面から最外周部の画素と内部画素との間隔の中間点までの距離で表される左右最外周画素の横方向の画素ピッチＰ２と、セルの幅ａ、ｂ、画素間隔２ｃ、左右最外周画素の単位平面表示素子の端面側の端部と単位平面表示素子の端面との距離ｄとの間には、
Ｐ１＝３ａ＋２ｃ
Ｐ２＝２ａ＋ｂ＋ｃ＋ｄ    ただし、ａ＞ｂ
の関係とともに、平面型画像表示装置全体を通じて画素ピッチを等しくしたことから、Ｐ１＝Ｐ２の関係を有している。
これらの関係から、ａ＋ｃ＝ｂ＋ｄ    ｄ＞ｃ  の関係が得られる。
【００２３】
この結果、従来の単位平面表示素子においては、端面の封着部の幅ｄは内部画素の画素間隔の１／２であるｃと同じ大きさとしていたものを、本発明の単位平面表示素子においてはそれよりも大きなものとすることが可能となり、封着部における気密保持と強度保持を充分なものとすることが可能となる。
【００２４】
一方、上下の最外周画素は、すべてのセルが縦方向の長さｆであり、それ以外のすべての画素の縦方向の長さｇを有し、ｇ＞ｆの関係を有している。
そして、上下最外周画素と内部画素との間の縦方向の間隔、および各内部画素間の縦方向の間隔はすべて２ｃであり、上下最外周画素を除く画素の縦方向の画素ピッチＰ３、単位平面表示素子の上下の端面から上下の最外周画素と内部画素との間隔の中間点までの距離である上下最外周画素の縦方向画素ピッチＰ４と、画素の縦方向の長さｆ、ｇと上下外周画素の単位平面表示素子の端部と単位平面表示素子の端面との距離ｄとの間には、
Ｐ３＝ｇ＋２ｃ
Ｐ４＝ｆ＋ｃ＋ｄ      ただし、ｇ＞ｆ
の関係とともに、平面型画像表示装置全体を通じて画素ピッチを等しくしたことから、                Ｐ３＝Ｐ４
【００２５】
これらの関係から、ｇ＋ｃ＝ｆ＋ｄ  の関係が得られ、ｇ＞ｆであるので、従来の単位平面表示素子においては、端面の封着部の上下の幅ｄは内部画素の画素間隔の１／２であるｃと同じ大きさとせざるを得なかったが、本発明の単位平面表示素子においてはそれよりも大きなものとすることが可能となり、封着部における気密保持と強度保持を充分なものとすることが可能となる。
【００２６】
例えば、１００型においてＸＧＡ級の高精細表示を実現するためには、２ｍｍのピッチで画素を形成する場合には、以下のような値を挙げることができる。
Ｐ＝２．０２ｍｍ、ａ＝０．３８ｍｍ、ｂ＝０．２７ｍｍ
ａとｂとの比は、ｂ／ａ＝０．７１
ｃ＝０．３５ｍｍ、ｄ＝０．４６ｍｍ、ｅ＝０．０９ｍｍ
ｆ＝１．２１ｍｍ、ｇ＝１．３２ｍｍ
ｆとｇとの比は、ｆ／ｇ＝０．９２
【００２７】
また、以上の説明では、最外周画素のうち最外周部に位置するセルの幅ｂを他のセルの幅ａに比べて小さくする例について説明をしたが、幅を小さくするセルは最外周部に位置するものでなくても良く、いずれのセルであっても良い。セルの発光効率が異なる場合には、発光効率が大きなセルの幅を小さくする方が、電圧、電流、パルス数、パルス幅等を調整して輝度調整を行う際には、負荷が小さなものとなるので好ましい。
【００２８】
また、いずれの画素においても、Ｒ、Ｇ、Ｂの３色のセルの配置順序は、同じである方が制御等の面で好ましいが、左右の最外周画素を構成するセルの幅および、幅の小さなセルの配置位置等の他の条件は任意とすることができる。例えば、以下のようにＲＢＧの順にＢを中央に配置した場合にも、その幅ａ、ｂの配置は以下のように形態がある。
左側最外周画素                右側最外周画素
Ｒ      Ｂ        Ｇ         Ｒ        Ｂ       Ｇ
ａ      ／ａ    ／ｂ         ａ      ／ａ      ／ｂ
ａ      ／ａ    ／ｂ         ｂ      ／ａ      ／ａ
ｂ      ／ａ    ／ａ         ａ      ／ａ      ／ｂ
【００２９】
図２は、本発明の平面型画像表示装置の他の実施例を説明する図であり、隣接する単位平面表示素子を部分的に示したものである。
単位平面表示素子１０２Ａと単位平面表示素子１０２Ｂは、それぞれの端面１０３を密着して配置されている。
単位平面表示素子１０２Ａおよび１０２Ｂの左右の最外周部に位置する右側最外周画素１０４Ａ、左側最外周画素１０４Ｂ、単位平面表示素子の上下に位置する上下最外周画素１０５、および左右最外周画素と上下最外周画素を除く内部画素１０６から構成されており、それれぞれの画素は、縦長の画素からなり、赤色（Ｒ）セル１１０、青色（Ｂ）緑色セル１１１、緑色（Ｇ）セル１１２の３色のセルから構成されており、各セルは、間隔ｅを設けて配置されている。
【００３０】
右最外周画素１０４Ａの赤色セル１１０は、内部セルと同じ幅ａを有しており、および、最外周部の緑色セル１１２は、ａよりも小さなｂ１の幅を有しており、中央部の青色セル１１１は、ａよりも幅が小さなｂ２の幅を有しているが、プラズマディスプレイの場合には、青色セル用の蛍光体は発光効率が小さいので、青色セルの幅ｂ２は、ｂ１よりも大きくすることが好ましい。また、各セルの画素間隔ｅの間隔を設けて配置されている。
また、左最外周画素１０４Ｂの緑色セル１１２は、内部セルと同じ幅ａを有しており、最外周部の赤色セル１１２は、ａよりも小さなｂ１の幅を有しており、中央部の青色セル１１１は、ａよりも幅が小さなｂ２の幅を有している。
【００３１】
また、左右最外周画素と内部画素との間の間隔、および各内部画素間の間隔はすべて２ｃであり、左右最外周部の画素の横方向の画素ピッチＰ１を有している。単位平面表示素子の横方向の端面から、最外周部の画素と内部画素との間隔の中間点までの距離である左右最外周画素の横方向の画素ピッチＰ２、セルの幅ａ、ｂ１、ｂ２、画素間隔２ｃ、左右最外周画素の単位平面表示素子の端面側の端部と単位平面表示素子の端面との距離ｄとの間には、
Ｐ１＝３ａ＋２ｃ
Ｐ２＝ａ＋ｂ１＋ｂ２＋ｃ＋ｄ    ただし、ａ＞ｂ１  ａ＞ｂ２
の関係とともに、平面型画像表示装置全体を通じて画素ピッチが等しいことから、Ｐ１＝Ｐ２の関係を有している。
これらの関係から、２ａ＋ｃ＝ｂ１＋ｂ２＋ｄ
２ａ＞ｂ１＋ｂ２  であるので    ｄ＞ｃ  の関係が得られる。
この結果、従来の単位平面表示素子においては、端面の封着部の幅ｄは内部画素の画素間隔の１／２であるｃと同じ大きさとしていたものを、本発明の単位平面表示素子においてはそれよりも大きなものとすることが可能となり、封着部における気密保持と強度保持を充分なものとすることが可能となる。また、上下の最外周画素の縦方向の大きさは、図１（Ｂ）に示したものと同様である。
【００３２】
また、図２で示したように左右の最外周部の画素において、ｂ１およびｂ２の２個のセルの幅を小さくした場合には、ｂ１を図１で示したｂの大きさと同じ大きさとした場合には、図２に示した例に周辺部の幅ｄを図１で示した幅よりも大きなものとすることが可能となる。
また、図２におけるｄの大きさを図１における大きさと同等に保持した状態で画素間隔のｃを小さくすることができるので、より高効率で高精細表示が可能な平面型画像表示装置を作製することができる。
また、ｂ１、ｂ２の大きさを同一とし、ｄの大きさを図１と同様に設定する場合には、図１におけるｂ１の大きさよりも大きくすることができるので、輝度の低下を小さくすることが可能となる。
また、上下の最外周画素の大きさは、図１（Ｂ）に示したものと同様である。
【００３３】
例えば、１００型においてＸＧＡ級の高精細表示を実現するためには、２ｍｍのピッチで画素を形成する場合には、以下のような値を挙げることができる。
Ｐ＝２．０２ｍｍ、ａ＝０．３８ｍｍ、ｂ１＝ｂ２＝０．３２５ｍｍ
ａとｂ１，ｂ２との比は、ｂ１／ａ＝０．８６
ｃ＝０．３５ｍｍ、ｄ＝０．４６ｍｍ、ｅ＝０．０９ｍｍ
ｆ＝１．２１ｍｍ、ｇ＝１．３２ｍｍ
ｆとｇとの比は、ｆ／ｇ＝０．９２
このように、最外周部の画素のうち２個のセルの大きさを小さくすることによって、図１で示した例と同一の最外周画素と端面との距離を得るためには、セルの幅を小さくする割合が０．７１であったものを０．８６とすることによって実現することができるので、セル幅を小さくしたセルにおける輝度の低下率を小さくすることが可能である。
【００３４】
また、以上の説明では、最外周画素のうち最も外側に位置するセルとそれに隣接する二つのセルの幅ｂ１、ｂ２を他のセルの幅ａに比べて小さくする例について説明をしたが、幅が大きなセルは、図２に示した位置にあることが必須ではなく、他の位置でも良い。
また、セルの発光効率が異なる場合には、発光効率が大きなセルの幅を小さくする方が、電圧、電流、パルス数、パルス幅等を調整して輝度調整を行う際には、負荷が小さなものとなるので好ましい。
【００３５】
また、いずれの画素においても、Ｒ、Ｇ、Ｂの３色のセルの配置順序は、同じである方が制御等の面で好ましいが、左右の最外周画素を構成するセルの幅および、幅の大小関係等の他の条件は任意とすることができる。
例えば、以下のようなＲＢＧの順にＢを中央に配置した場合にも、その幅ａ、ｂ１、ｂ２の配置には以下のように形態がある。
左側最外周画素              右側最外周画素
Ｒ      Ｂ        Ｇ             Ｒ      Ｂ       Ｇ
ｂ１    ／ａ    ／ｂ２         ｂ１    ／ａ    ／ｂ２
ｂ１    ／ａ    ／ｂ２         ｂ２    ／ａ    ／ｂ１
ｂ２    ／ａ    ／ｂ１         ｂ２    ／ａ    ／ｂ１
ｂ２    ／ａ    ／ｂ１         ｂ１    ／ａ    ／ｂ２
【００３６】
図３は、本発明の平面型画像表示装置の他の実施例を説明する図であり、隣接する単位平面表示素子を部分的に示したものである。
単位平面表示素子１０２Ａと単位平面表示素子１０２Ｂは、それぞれの端面１０３を密着して配置されている。
単位平面表示素子１０２Ａおよび１０２Ｂの左右の最外周部に位置する右側最外周画素１０４Ａ、左側最外周画素１０４Ｂ、単位平面表示素子の上下に位置する上下最外周画素１０５、および左右最外周画素と上下最外周画素を除く内部画素１０６から構成されており、それぞれの画素は、縦長の画素からなり、赤色（Ｒ）セル１１０、青色（Ｂ）セル１１１、緑色（Ｇ）セル１１２の３色のセルから構成されている。
【００３７】
左右右最外周画素１０４Ａ、１０４Ｂを除くすべての画素は、幅ａを有しており、左右最外周画素１０４Ａ、１０４Ｂを構成するすべてのセルは、他の画素のセルに比べて左右の幅が小さなものである。すなわち、右側最外周画素においては緑色セル１１２は、ａよりも小さなｂ１の幅を有しており、青色セル１１１は、ａよりも幅が小さなｂ２の幅、また赤色セル１１０は、ａよりも小さな幅ｂ３を有している。また、左側最外周画素においては、赤色セル１１０は、ａよりも小さなｂ１の幅を有しており、青色セル１１１は、ａよりも幅が小さなｂ２の幅、また緑色セル１１２は、ａよりも小さな幅ｂ３を有している。そして、各セルは、画素間隔ｅの間隔を設けて配置されている。
【００３８】
また、左右最外周画素と内部画素との間の間隔、および各内部画素間の間隔はすべて２ｃであり、左右最外周部の画素の横方向の画素ピッチＰ１を有している。単位平面表示素子の横方向の端面から、最外周部の画素と内部画素との間隔の中間点までの距離である左右最外周画素の横方向の画素ピッチＰ２、セルの幅ａ、ｂ１、ｂ２、ｂ３、画素間隔２ｃ、左右最外周画素の単位平面表示素子の端面側の端部と単位平面表示素子の端面との距離ｄとの間には、
Ｐ１＝３ａ＋２ｃ
Ｐ２＝ｂ１＋ｂ２＋ｂ３＋ｃ＋ｄ  
ただし、ａ＞ｂ１  ａ＞ｂ２  ａ＞ｂ３
の関係とともに、平面型画像表示装置全体を通じて画素ピッチを等しいことから、
Ｐ１＝Ｐ２の関係を有している。
これらの関係から、３ａ＋ｃ＝ｂ１＋ｂ２＋ｂ３＋ｄ
３ａ＞ｂ１＋ｂ２＋ｂ３  であるので    ｄ＞ｃ  の関係が得られる。
【００３９】
この結果、従来の単位平面表示素子においては、端面の封着部の幅ｄは内部画素の画素間隔の１／２であるｃよりも大きなものとすることが可能となるので、画素間隔を従来のものに比べて小さくした場合でも、封着部における気密保持と強度保持を充分なものとすることが可能となる。
また、カラープラズマディスプレイの場合には、青色セルに使用されている青色蛍光体の発光効率が他の色に比べて小さいので、青色セルは中央部に配置するとともにその幅ｂ２は、ｂ１およびｂ３よりも大きくすることが好ましい。
【００４０】
また、図１におけるｄと同様の大きさのｄを設定した場合には、図１に比べて、左右の最外周部画素のセル幅を、図１における幅の小さいものすなわちｂに比べて大きくすることが可能となり、セル幅が小さくなることによる輝度の低下を減少させることができる。
なお、上下の最外周画素の大きさは、図１（Ｂ）に示したものと同様である。
【００４１】
例えば、１００型においてＸＧＡ級の高精細表示を実現するためには、２ｍｍのピッチで画素を形成する場合には、以下のような値を挙げることができる。
Ｐ＝２．０２ｍｍ、ｂ１＝ｂ２＝ｂ３＝０．３４３ｍｍ
ａとｂ１，ｂ２，ｂ３との比は、ｂ１／ａ＝０．９１
ｃ＝０．３５ｍｍ、ｄ＝０．４６ｍｍ、ｅ＝０．０９ｍｍ
ｆ＝１．２１ｍｍ、ｇ＝１．３２ｍｍ
ｆとｇとの比は、ｆ／ｇ＝０．９２
【００４２】
このように、最外周部の画素のすべてのセルの大きさを小さくすることによって、図１で示した例と同一の最外周画素と端面との距離を得るためには、セルの幅を小さくする割合が０．７１であったものを０．９１とすることが可能であるので、セル幅を小さくしたセルにおける輝度の低下率を小さくすることが可能である。
あるいは、最外周画素のセル幅を小さくすることによって、ｄの大きさを図１に示したものに比べて大きくし、より強度が大きな封着部を形成することができる。
【００４３】
また、以上の説明では、左右いずれの最外周画素についても、端面に近いセルから順に、ｂ１、ｂ２、ｂ３の幅で配置する例について説明をしたが、幅の順序は必ずしもこの順序とする必要はなく、左右の最終画素において異なる幅の順序としてセルを配置しても良い。
また、セルの発光効率が異なる場合には、発光効率が大きなセルの幅を小さくする方が、電圧、電流、パルス数、パルス幅等を調整して輝度調整を行う際には、負荷が小さなものとなるので好ましい。
【００４４】
また、いずれの画素においても、Ｒ、Ｇ、Ｂの３色のセルの配置順序は、同じである方が制御等の面で好ましいが、左右の最外周画素を構成するセルの幅および、幅の大小関係等の他の条件は任意とすることができる。例えば、以下のように、ＲＢＧの順にＢを中央に配置し、Ｂのセルの幅ｂ２を最も大きくした場合にも、その幅ｂ１、ｂ２、ｂ３の配置には以下のように形態がある。
左側最外周画素              右側最外周画素
Ｒ        Ｂ        Ｇ           Ｒ      Ｂ       Ｇ
ｂ３    ／ｂ２    ／ｂ１       ｂ３    ／ｂ２    ／ｂ１
ｂ３    ／ｂ２    ／ｂ１       ｂ１    ／ｂ２    ／ｂ３
ｂ１    ／ｂ２    ／ｂ３       ｂ１    ／ｂ２    ／ｂ３
ｂ１    ／ｂ２    ／ｂ３       ｂ３    ／ｂ２    ／ｂ１
【００４５】
図４は、本発明の平面型画像表示装置の単位平面表示素子構造を説明する図であり、図４（Ａ）は、カラープラズマディスプレイの一部の平面図であり、図４（Ｂ）は、図４（Ａ）におけるＸ−Ｘ’線の断面図であり、図４（Ｃ）は、図４（Ａ）におけるＹーＹ’線の断面図である。
図４で示した例は、図１（Ｂ）で示した単位平面表示素子１０２Ｂの左上部の最外周部に位置する画素を示した図である。
左側最外周画素１０４Ｂ、上部最外周画素１０５Ｂ、内部画素１０６を示し、画素は、赤色（Ｒ）セル１１０、青色（Ｂ）１１１、緑色（Ｇ）セル１１２の３色のセルから構成されている。
図４（Ｂ）に示すように、左側最外周画素１０４Ｂの赤色セル１１０の幅ｂが他のセルの幅ａよりも小さなものとすることによって、最外周画素１０４Ｂの赤色セル１１０から単位平面表示素子の端面までの幅ｄを、画素間隔の２ｃの１／２であるｃよりも大きなものとすることができ、端部に設ける封着物質１２０の厚みを充分なものとすることが可能となるので、画素間隔を小さくした際にも単位平面表示素子の封着部の強度を充分なものにできる。
【００４６】
また、図４（Ｃ）に示すように、上部最外周画素１０５Ｂの長さをｆとし、内部画素１０６の長さｇに比べて小さくしたので、上部最外周画素から単位平面表示素子の端面までの間隔ｄを、画素間隔２ｃの１／２であるｃの大きさよりも大きくするすることができ、端部に設ける封着物質１２０の厚みを充分なものとすることが可能となる。
【００４７】
次に、本発明の平面型画像表示装置におけるセルの幅を小さくした場合に生じる輝度の不均一を調整する方法について説明する。
図５は、本発明の平面型画像表示装置の輝度の調整方法を説明する図である。
平面型画像表示装置１の表示面に形成された、表示画像の周辺を示すマーカ７および表示画像９のそれぞれが、平面型画像表示装置の表示面から所定の距離を設けて配置されたＣＣＤカメラ等の撮像手段１１によって同一の倍率で撮像される。撮像は、ＣＣＤカメラ等のデジタル撮像手段を用いずにアナログ式の撮像手段によって行って、Ａ／Ｄ変換によってデジタル画像を形成しても良い。
撮像された撮像画像情報１３、マーカ７による画像情報によって定められた画像の大きさを示す画像情報に基づいて、画素情報を補間および再配置することによって、表示画像の各画素の情報に応じた補間配置画像が形成される。
この補間配置画像から基準輝度情報を設定するとともに、基準輝度情報との相違を輝度分布補正係数処理回路１５によって演算して、補正係数用メモリー１７に保存される。
【００４８】
一方、映像入力信号１９は、γ補正回路２１によって補正された後に、補正係数用メモリー１７に蓄積された画素毎の補正係数に基づいて輝度補正演算回路２３において各画素の輝度信号が補正をされる。
次いで、輝度補正されたデータは、映像信号用フレームメモリー２５において展開されて表示データ配列変換処理回路２７に送信されて、それぞれの単位平面表示素子５に応じたデータとされる。
そして、表示データ伝送回路２９から、単位平面表示素子５−１ないし５−ｎの表示制御回路３１へと伝送され、表示制御回路からアドレス駆動回路３３、スキャン駆動回路３５、サステイン駆動回路３７へ駆動信号が送信されて、画像の表示が行われる。
また、各駆動回路には、ＤＣ／ＤＣコンバータから構成された電源３９からアドレス駆動電圧Ｖａ、サステイン駆動電圧Ｖｓ、スキャン駆動電圧Ｖｗ等が供給される。
【００４９】
また、輝度補正では、表示画面の全画素を均一になるように補正することができる。配列した単位平面表示素子間の継ぎ目に注目し、最外周画素の輝度値と継ぎ目の視認のしやすさを評価すると、継ぎ目の目立たない輝度値は、内部画素の輝度値をＢｎ、最外周画素の輝度値をＢｇとすれば、
１．１≧Ｂｇ／Ｂｎ≧１．０
の関係を満足するように補正した方が良いことが認められたので、補正係数にはこの点を考慮して補正することが好ましい。これは、隣接する単位平面表示素子間には、それぞれの非表示部ｄに基づく非表示部よりも若干広い非表示部が形成されて視認性に影響を与えているものと考えられる。
一方、Ｂｇ／Ｂｎを１．１よりも大きくすると、最外周部が過剰補正されて、その部分が明線として視認されるので望ましくない。
以下に実施例を示し本発明を説明する。
【実施例１】
【００５０】
単位平面表示素子は寸法が縦１９２ｍｍ、横２５６ｍｍで画素構成は縦９６画素×横１２８画素を有し、画素ピッチが縦横それぞれ２．０２ｍｍで構成されたものである。
この単位平面表示素子を縦横それぞれ８枚配列することにより縦７６８画素×横１０２４画素のＸＧＡ級の表示が可能な１００型相当の大型画像表示装置が構成できる。
単位平面表示素子の図１に対応するように最外周のセルの１セルの幅を小さくしたものである。
水平方向画素ピッチは、
Ｐ１＝３ａ＋２ｃ＋２ｅ
Ｐ２＝２ａ＋ｂ＋ｃ＋ｄ＋２ｅ
ここでＰ１＝Ｐ２
また、垂直方向画素ピッチは、
Ｐ３＝２ｃ＋ｇ
Ｐ４＝ｃ＋ｄ＋ｆ
ここでＰ３＝Ｐ４
【００５１】
以上の関係を満足するように下記のように設定して作製した。
Ｐ＝２．０２ｍｍ、ａ＝０．３８ｍｍ、ｂ＝０．２７ｍｍ
ｃ＝０．３５ｍｍ、ｄ＝０．４６ｍｍ、ｅ＝０．０９ｍｍ
ｆ＝１．２１ｍｍ、ｇ＝１．３２ｍｍ
このセル内部には左から赤、青、緑の順で蛍光体からなる発光層を形成する。３色の中で蛍光体の最も効率の低い青色部を中央に設定し、単位平面表示素子の左右の最外周部にならない方が、平面型画像表示装置の輝度補正のときに有利になる。
各発光層は、赤色蛍光体（Ｙx・Ｇｄ1-x）ＢＯ3：Ｅｕ3+、青色蛍光体ＢａＭｇＡｌ10Ｏ17：Ｅｕ2+、緑色蛍光体Ｚｎ2ＳｉＯ4：Ｍｎを用いて形成し、放電気体として７容量％のキセノンを含むネオンとキセノンの混合気体を圧力６６．７ｋＰａで封入してＡＣ型３電極構造のプラズマディスプレイの単位平面表示素子を作製した。
【００５２】
次に、この単位平面表示素子を維持電圧２００Ｖ周波数５０ｋＨｚで全画素を放電表示し各画素の輝度特性を測定し、中央部画素で６７０ｃｄ／ｍ2 、５１４０Ｋの安定した表示特性が得られた。
特に、単位平面表示素子の外周部の角の部分の画素である図６に示す画素の輝度は、画素１で６９８ｃｄ／ｍ2 、画素２で６４５ｃｄ／ｍ2 、画素３で５８７ｃｄ／ｍ2 、画素４で６３５ｃｄ／ｍ2 が得られた。この角部の最小輝度は中央部輝度の約８４％であり、この単位平面表示素子を複数枚配列し大型平面表示装置を形成した場合輝度補正が十分可能な値である。
このようにこの単位平面表示素子は１００型でＸＧＡ表示が可能な高精細画素を形成しながら、安定なガラス封着強度を保つ封着幅を最外周部の非表示部幅として確保できるため、信頼性の高い高精細単位平面表示素子を得ることができる。
【実施例２】
【００５３】
実施例１にしたがって作製した縦１９２ｍｍ、横２５６ｍｍで画素構成は縦９６画素×横１２８画素を有したカラープラズマ表示素子からなる単位平面表示素子を縦８枚、横８枚を互いに密接配列配置し１００型相当の平面型画像表示装置を作製した。
平面型画像表示装置の総画素数は７６８画素×１０２４画素となりＸＧＡ画素表示となる。次にこの表示面で全画素の点灯を行い全白表示画面とし、図５で示した方法により輝度分布を測定したところ、Ｒ，Ｂ、Ｇ単色の輝度分布から最外周画素に位置付けられている赤色と緑色は、輝度分布の最小値が最大値の７７％となり、青色の９１％より変動が大きく測定された。この最低輝度値をもとにしてＲ，Ｂ，Ｇ毎に均一化補正を実施した。得られた全白表示画面の輝度分布は±３％以内の均一な画面であり、特に単位平面表示素子間の輝度段差が視認されない良好なＸＧＡ表示可能な高精細一体画面が得られた。
【産業上の利用可能性】
【００５４】
本発明の単位平面表示素子の複数個を配置した平面型画像表示装置において、単位平面表示素子の最外周部の画素の大きさを内部画素に比べて小さくすることによって、最外周部の画素と単位平面表示素子の外周面からの間隔を、単位平面表示素子の前面板と背面板との封着部の強度を保持可能な長さに確保し、単位平面表示素子の外周面から、最外周画素とその内部画素との中間までの距離を、内部画素ピッチと等しくすることができるので、画素ピッチを小さくしても画素ピッチが大きなものと同等の大きさの封着部を形成することが可能となり、十分な封着性能が得られるので、高精細表示が可能な平面型画像表示装置を提供することができる。
【図面の簡単な説明】
【００５５】
【図１】図１は、本発明の平面型画像表示装置の一実施例を説明する図である。
【図２】図２は、本発明の平面型画像表示装置の他の実施例を説明する図である。
【図３】図３は、本発明の平面型画像表示装置の他の実施例を説明する図である。
【図４】図４は、本発明の平面型画像表示装置の単位平面表示素子構造を説明する図である。
【図５】図５は、本発明の平面型画像表示装置の輝度の調整方法を説明する図である。
【図６】図６は、実施例の単位平面表示素子の画素を説明する図である。
【符号の説明】
【００５６】
１…平面型画像表示装置、３…プラズマ表示素子、５，５−１，５−ｎ…単位平面表示素子、７…マーカ、９…表示画像、１１…撮像手段、１３…撮像画像情報、１５…輝度分布補正係数処理回路、１７…補正係数用メモリー、１９…映像入力信号、２１…γ補正回路、２３…輝度補正演算回路、２５…映像信号用フレームメモリー、２７…表示データ配列変換処理回路、２９…表示データ伝送回路、３１…表示制御回路、３３…アドレス駆動回路、３５…スキャン駆動回路、３７…サステイン駆動回路、３９…電源、４１…表示画素、４２…移動撮像手段
１０１…平面型画像表示装置、１０２，１０２Ａ，１０２Ｂ…単位平面型表示素子、１０３…端面、１０４…左右最外周画素、１０４Ａ…右側の最外周画素、１０４Ｂ…左側の最外周画素、１０５，１０５Ｂ…上下最外周画素、１０６…内部画素、１１０…赤色（Ｒ）セル、１１１…青色（Ｂ）セル、１１２…緑色（Ｇ）セル、１２０…封着物質
【図１】
2005301133.tif 000003
【図２】
2005301133.tif 000004
【図３】
2005301133.tif 000005
【図４】
2005301133.tif 000006
【図５】
2005301133.tif 000007
【図６】
2005301133.tif 000008